【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
センサーおよび瘢痕化抑制剤または瘢痕化抑制剤を含む組成物を含む装置で、該薬剤が装置と装置移植先である宿主との間での瘢痕化を阻害する、装置。
【請求項２】
センサーが血液または組織のブドウ糖モニター、心臓センサー、呼吸器センサー、光センサー、バイオセンサー、または聴覚センサーである、請求項１の装置。
【請求項３】
センサーが電解質センサー、血液濃度センサー、温度センサー、ＰＨセンサー、電流測定用センサー、圧力センサー、検出用トランスポンダー、歪センサー、磁気抵抗センサー、または代謝物センサーである、請求項１の装置。
【請求項４】
センサーが機械的な変化、物理的な変化、電気化学変化な変化、磁気的な変化、加速度の変化、電離放射線の変化、音波の変化、化学変化、薬物濃度の変化、ホルモンの変化、または、気圧の変化を検出する、請求項１の装置。
【請求項５】
薬剤は、組織再生の低減；炎症の阻害；繊維形成の阻害；装置と装置移植先である宿主との間の接着の阻害；血管形成の阻害；結合組織細胞の遊走の阻害；結合組織細胞増殖の阻害；繊維芽細胞遊走の阻害；繊維芽細胞増殖の阻害；細胞外基質生成の阻害；細胞外基質破壊の増強；細胞外基質蓄積の阻害；組織再形成の阻害；および装置を囲っている繊維性結合組織膜の形成の阻害、のうちの１つ以上を示す、請求項１の装置。
【請求項６】
薬剤がパクリタキセル、タキサン、ドセタキセル、パクリタキセルの類似体または誘導体、微小管阻害剤、ミコフェノール酸、シロリムス、タクロリムス、エベロリムス、ＡＢＴ−５７８、ビンカアルカロイド、ビンブラスチン、ビンクリスチン、ピメクロリムス、および１−α−２５ジヒドロキシビタミンＤ３；パクリタキセル、ミトキサントロン、ドキソルビシン、エピチロンＢ、エトポシド、Taxotere、ツベルシジン、ゲルダナマイシン、シンバスタチン、ハリフギノン、ミトラマイシン、Bay  11−7082、SB202190、およびスルコニゾールから選択される、請求項１〜３のいずれかの装置。
【請求項７】
薬剤が、ミトキサントロン、ラパマイシン、エベロリムス、ピメクロリムス、パクリタキセル、GW8510、ドキソルビシン、ゲルダナマイシン、ブレオマイシン、ハロフギノン、塩酸エピルビシン、トポテカン（topotemay）、タモキシフェン、エタニダゾール、ゲムシタビン、ミトラマイシン、ダウノルビシン、クロモマイシンＡ３、ビノレルビン、イダルビシン、ノガラマイシン、17-DMAG、エポシロン、ビンブラスチン、ビンクリスチン、シタラビン、アニソマイシン、CNI-1493、17-AAG、クロルプロマジン、ポドフィロトキシン、セラストロール、LY290181、ヘキシレングリコール、重水、グリシンエチルエステル、エチレングリコールビス−（スクシンイミジルスクシネート）、ツベルシジン、エピチロン、オキサリプラチン、クロモマイシンＡ３、１−α−25  ジヒドロキシビタミンD3、エピルビシン、ミコフェノール酸、モフェチル、SKF 86002、15-デオキシプロスタグランジン、ファスカプリシン、IDN-6556、レスベラトロール、SP600125、Bay-58-2667、15-デオキシプロスタグランジンJ2、BXT-51072、ロバスタチン、クラドリビン、サイトカラシンA、ピューロマイシン、イトラコナゾール、D-マンノース-6-ホスフェート、ゲムフィブロジル、シプロフィブラート、ベザフィブラート、ピューロマイシン、L(-)ペリリルアルコール、およびアナシタビンから選択される、請求項１〜３のいずれかの装置。
【請求項８】
薬剤が、タキサン、血管形成阻害剤、５−リポキシゲナーゼ阻害剤または拮抗薬、ケモカイン受容体拮抗薬、C-Cケモカイン受容体1、C-Cケモカイン受容体3、C-Cケモカイン受容体5、細胞周期阻害剤、微小管阻害剤、パクリタキセル、ドセタキセル、パクリタキセルの類似体または誘導体、ビンカアルカロイド、ビンブラスチン、カンプトテシン、またはその類似体もしくは誘導体であるビンカアルカロイド、ポドフィロトキシン、エトポシドまたはその類似体もしくは誘導体であるポドフィロトキシン、アントラサイクリン、ドキソルビシンまたはその類似体もしくは誘導体であるアントラサイクリン、ミトキサントロンまたはその類似体もしくは誘導体であるアントラサイクリン、白金化合物、ニトロソウレア、ニトロイミダゾール、葉酸拮抗薬、シチジン類似体、ピリミジン類似体、フルオロピリミジン類似体、プリン類似体、ツベルシジンであるプリン類似体、ナイトロジェンマスタードまたはその類似体もしくは誘導体、ヒドロキシウレア、マイトマイシンまたはその類似体または誘導体、スルホン酸アルキル、ベンズアミドまたはその類似体もしくは誘導体、ニコチンアミドまたはその類似体もしくは誘導体、ハロゲン化糖またはその類似体もしくは誘導体、ＤＮＡアルキル化剤、微小管阻害剤、トポイソメラーゼ阻害剤、ＤＮＡ切断剤、代謝拮抗薬、アデノシンデアミナーゼを阻害する薬剤、プリン環合成を阻害する薬剤、ヌクレオチド転換阻害剤、ジヒドロ葉酸還元を阻害する薬剤、チミジン一リン酸を抑制する薬剤、ＤＮＡ損傷を生じさせる薬剤、ＤＮＡ挿入剤、ＲＮＡ合成阻害剤、ピリミジン合成阻害剤、リボヌクレオチド合成または機能を阻害する薬剤、チミジン一リン酸合成または機能を阻害する薬剤、ＤＮＡ合成を阻害する薬剤、ＤＮＡ付加体形成を生じる薬剤、ＤＮＡ付加体形成を生じる薬剤、タンパク質合成を阻害する薬剤、微小管機能を阻害する薬剤、サイクリン依存性タンパク質キナーゼ阻害剤、上皮細胞増殖因子キナーゼ阻害剤、エラスターゼ阻害剤、ＸＡ因子阻害剤、ファルネシルトランスフェラーゼ阻害剤、フィブリノゲン拮抗薬、グアニル酸シクラーゼ刺激剤、熱ショックタンパク質９０拮抗薬、ゲルダマイシンまたはその類似体もしくは誘導体である熱ショックタンパク質９０拮抗薬、グアニル酸シクラーゼ刺激剤、ヒドロキシメチルグルタリルコエンザイムＡレダクターゼ（ＨＭＧＣｏＡ）阻害剤、シンバスタチンまたはその類似体もしくは誘導体であるHMGCoAレダクターゼ阻害剤、ヒドロオロチン酸デヒドロゲナーゼ阻害剤、IκBキナーゼ2(IKK2)阻害剤、ＩＬ−１拮抗剤、インターロイキン１β変換酵素（ＩＣＥ）拮抗薬、IL-1R関連キナーゼ(IRAK)拮抗薬、ＩＬ−４作動薬、免疫調整薬、シロリムスまたはその類似体もしくは誘導体、エベロリムスまたはその類似体もしくは誘導体、タクロリムスまたはその類似体もしくは誘導体、バイオリムスまたはその類似体もしくは誘導体、トレスペリムスまたはその類似体もしくは誘導体、オーラノフィンまたはその類似体もしくは誘導体、２７−０−デメチルラパマイシンまたはその類似体もしくは誘導体、グスペリムスまたはその類似体もしくは誘導体、ピメクロリムスまたはその類似体もしくは誘導体、ABT-578またはその類似体もしくは誘導体、��ノシン一リン酸デヒドロゲナーゼ（ＩＭＰＤＨ）阻害剤、ミコフェノール酸またはその類似体もしくは誘導体であるＩＭＰＤＨ祖配剤、１−α−２５ジヒドロキシビタミンＤ３またはその類似体もしくは誘導体であるＩＭＰＤＨ阻害剤、ロイコトリエン阻害剤、単球化学誘因タンパク質−１（ＭＣＰ−１）拮抗薬、マトリックスメタロプロテイナーゼ（ＭＭＰ）阻害剤、ＮＦκＢ阻害剤、ＢＡＹ  １１−７０８２であるＮＦκＢ阻害剤、一酸化窒素（ＮＯ）拮抗薬、Ｐ３８マイトジェン活性化タンパク質（ＭＡＰ）キナーゼ阻害剤、SB202190であるＰ３８マイトジェン活性化タンパク質（ＭＡＰ）キナーゼ阻害剤、ホスホジエステラーゼ阻害剤、トランスホーミング増殖因子（ＴＧＦ）β阻害剤、トロンボキサンＡ２拮抗薬、腫瘍壊死因子α（ＴＮＦα）拮抗薬、ＴＮＦα変換酵素（ＴＡＣＥ）阻害剤、チロシンキナーゼ阻害剤、ビトロネクチン阻害剤、線維芽細胞増殖因子阻害剤、タンパク質キナーゼ阻害剤、血小板由来増殖因子（ＰＤＧＦ）受容体キナーゼ阻害剤、内皮細胞増殖因子受容体キナーゼ阻害剤、レチノイン酸受容体拮抗薬、フィブリノゲン拮抗薬、抗真菌剤、スルコニゾールである抗真菌剤、ビスフォスフォネート、ホスホリパーゼＡ１阻害剤、ヒスタミンＨ１／Ｈ２／Ｈ３受容体拮抗薬、マクロライド系抗生物質、ＧＰＩＩＢ／ＩＩＩＡ受容体拮抗薬、エンドセリン受容体拮抗薬、ペルオキシソーム増殖剤応答性受容体の作動薬、エストロゲン受容体薬、ソマストスタチン類似体、ニューロキニン１拮抗薬、ニューロキニン３拮抗薬、ニューロキニン拮抗薬、avery late抗原−４ (VLA-4)拮抗薬、破骨細胞阻害剤、DNAトポイソメラーゼATP加水分解阻害剤、 アンギオテンシンＩ変換酵素阻害剤、アンギオテンシンＩＩ拮抗薬、エンケファリナーゼ阻害剤、ペルオキシソーム増殖剤応答性受容体γ作動薬のインスリン増感剤、プロテインキナーゼＣ阻害剤、CXCR3阻害剤、Itk阻害剤、細胞質ホスホリパーゼA2-α阻害剤、ペルオキシソーム増殖剤応答性受容体(PPAR)作動薬、アポトーシス作動薬、免疫抑制剤、Erb阻害剤、リポコルチン作動薬、脈管細胞接着分子−１（ＶＣＡＭ−１）拮抗薬、コラーゲン拮抗薬、α２インテグリン拮抗薬、ＴＮＦα阻害剤、一酸化窒素阻害剤、カテプシン阻害剤、およびエポシロンＢから選択される、請求項１〜３のいずれかの装置。
【請求項９】
第2の薬学的に活性な薬剤をさらに含む、請求項１〜３のいずれかの装置。
【請求項１０】
第2の薬学的に活性な薬剤は、抗血栓薬、抗血小板薬、抗増殖薬、抗炎症薬、抗ガン剤、抗生物質、抗微生物薬である、請求項９の装置。
【請求項１１】
感染、炎症または血栓症を阻害する薬剤をさらに含む、請求項１〜３のいずれかの装置。
【請求項１２】
前記組成物がポリマーをさらに含む、請求項１〜３のいずれかの装置。
【請求項１３】
前記組成物が生分解性ポリマーをさらに含む、請求項１〜３のいずれかの装置。
【請求項１４】
前記組成物が非生分解性ポリマーをさらに含む、請求項１〜３のいずれかの装置。
【請求項１５】
センサーおよび瘢痕化抑制剤または瘢痕化抑制剤を含む組成物をあわせる工程を含む装置を作製する方法で、該薬剤が装置と装置移植先である宿主との間での瘢痕化を阻害する、方法。
【請求項１６】
センサーが血液または組織のブドウ糖モニター、心臓センサー、呼吸器センサー、光センサー、バイオセンサー、または聴覚センサーである、請求項１５の方法。
【請求項１７】
センサーが電解質センサー、血液濃度センサー、温度センサー、ＰＨセンサー、電流測定用センサー、圧力センサー、検出用トランスポンダー、歪センサー、磁気抵抗センサー、または代謝物センサーである、請求項１５の方法。
【請求項１８】
センサーが機械的な変化、物理的な変化、電気化学変化な変化、磁気的な変化、加速度の変化、電離放射線の変化、音波の変化、化学変化、薬物濃度の変化、ホルモンの変化、または、気圧の変化を検出する、請求項15に記載の方法。
【請求項１９】
薬剤は、組織再生の低減；炎症の阻害；繊維形成の阻害；装置と装置移植先である宿主との間の接着の阻害；血管形成の阻害；結合組織細胞の遊走の阻害；結合組織細胞増殖の阻害；繊維芽細胞遊走の阻害；繊維芽細胞増殖の阻害；細胞外基質生成の阻害；細胞外基質破壊の増強；細胞外基質蓄積の阻害；組織再形成の阻害；および装置を囲っている繊維性結合組織膜の形成の阻害、のうちの１つ以上を示す、請求項１５〜１７のいずれかの装置。
【請求項２０】
薬剤がパクリタキセル、タキサン、ドセタキセル、パクリタキセルの類似体または誘導体、微小管阻害剤、ミコフェノール酸、シロリムス、タクロリムス、エベロリムス、ＡＢＴ−５７８、ビンカアルカロイド、ビンブラスチン、ビンクリスチン、ピメクロリムス、および１−α−２５ジヒドロキシビタミンＤ３；パクリタキセル、ミトキサントロン、ドキソルビシン、エピチロンＢ、エトポシド、Taxotere、ツベルシジン、ゲルダナマイシン、シンバスタチン、ハリフギノン、ミトラマイシン、Bay  11−7082、SB202190、およびスルコニゾールから選択される、請求項１５〜１７のいずれかの方法。
【請求項２１】
薬剤は、ミトキサントロン、ラパマイシン、エベロリムス、ピメクロリムス、パクリタキセル、GW8510、ドキソルビシン、ゲルダナマイシン、ブレオマイシン、ハロフギノン、塩酸エピルビシン、トポテカン（topotemay）、タモキシフェン、エタニダゾール、ゲムシタビン、ミトラマイシン、ダウノルビシン、クロモマイシンＡ３、ビノレルビン、イダルビシン、ノガラマイシン、17-DMAG、エポシロン、ビンブラスチン、ビンクリスチン、シタラビン、アニソマイシン、CNI-1493、17-AAG、クロルプロマジン、ポドフィロトキシン、セラストロール、LY290181、ヘキシレングリコール、重水、グリシンエチルエステル、エチレングリコールビス−（スクシンイミジルスクシネート）、ツベルシジン、エピチロン、オキサリプラチン、クロモマイシンＡ３、1-α-25  ジヒドロキシビタミンＤ３、エピルビシン、ミコフェノール酸、モフェチル、SKF 86002、15-デオキシプロスタグランジン、ファスカプリシン、IDN-6556、レスベラトロール、SP600125、Bay-58-2667、15-デオキシプロスタグランジンJ2、BXT-51072、ロバスタチン、クラドリビン、サイトカラシンA、ピューロマイシン、イトラコナゾール、D-マンノース-6-ホスフェート、ゲムフィブロジル、シプロフィブラート、ベザフィブラート、ピューロマイシン、L(-)ペリリルアルコール、およびアナシタビンから選択される、請求項１５〜１７のいずれかの方法。
【請求項２２】
薬剤がタキサン、血管形成阻害剤、５−リポキシゲナーゼ阻害剤または拮抗薬、ケモカイン受容体拮抗薬、C-Cケモカイン受容体1、C-Cケモカイン受容体3、C-Cケモカイン受容体5、細胞周期阻害剤、微小管阻害剤、パクリタキセル、ドセタキセル、パクリタキセルの類似体または誘導体、ビンカアルカロイド、ビンブラスチンであるビンカアルカロイド、カンプトテシン、またはその類似体もしくは誘導体、ポドフィロトキシン、エトポシドまたはその類似体もしくは誘導体であるポドフィロトキシン、アントラサイクリン、ドキソルビシンまたはその類似体もしくは誘導体であるアントラサイクリン、ミトキサントロンまたはその類似体もしくは誘導体であるアントラサイクリン、白金化合物、ニトロソウレア、ニトロイミダゾール、葉酸拮抗薬、シチジン類似体、ぴりみじん類似体、フルオロピリミジン類似体、プリン類似体、ツベルシジンであるプリン類似体、ナイトロジェンマスタードまたはその類似体もしくは誘導体、ヒドロキシウレア、マイトマイシンまたはその類似体もしくは誘導体、スルホン酸アルキル、ベンズアミドまたはその類似体もしくは誘導体、ニコチンアミドまたはその類似体もしくは誘導体、ハロゲン化糖またはその誘導体もしくは類似体、ＤＮＡアルキル化剤、微小管阻害剤、トポイソメラーゼ阻害剤、ＤＮＡ切断剤、代謝拮抗薬、アデノシンデアミナーゼを阻害する薬剤、プリン環合成を阻害する薬剤、ヌクレオチド転換阻害剤、ジヒドロ葉酸還元を阻害する薬剤、チミジン一リン酸を抑制する薬剤、ＤＮＡ損傷を生じさせる薬剤、ＤＮＡ挿入剤、ＲＮＡ合成阻害剤、ピリミジン合成阻害剤、リボヌクレオチド合成または機能を阻害する薬剤、チミジン一リン酸合成または機能を阻害する薬剤、ＤＮＡ合成を阻害する薬剤、ＤＮＡ付加体形成を生じる薬剤、ＤＮＡ付加体形成を生じる薬剤、タンパク質合成を阻害する薬剤、微小管機能を阻害する薬剤、サイクリン依存性タンパク質キナーゼ阻害剤、上皮細胞増殖因子キナーゼ阻害剤、エラスターゼ阻害剤、ＸＡ因子阻害剤、ファルネシルトランスフェラーゼ阻害剤、フィブリノゲン拮抗薬、グアニル酸シクラーゼ刺激剤、熱ショックタンパク質９０拮抗薬、ゲルダナマイシンまたはその類似体もしくは誘導体である熱ショックタンパク質９０拮抗薬、グアニル酸シクラーゼ刺激剤、ヒドロキシメチルグルタリルコエンザイムＡレダクターゼ（ＨＭＧＣｏＡ）阻害剤、シンバスタチンまたはその類似体もしくは誘導体であるHMGCoAレダクターゼ阻害剤、ヒドロオロチン酸デヒドロゲナーゼ阻害剤、IκBキナーゼ2(IKK2)阻害剤、ＩＬ−１拮抗剤、インターロイキン１β変換酵素（ＩＣＥ）拮抗薬、IL-1R関連キナーゼ(IRAK)拮抗薬、ＩＬ−４作動薬、免疫調整薬、シロリムスまたはその類似体もしくは誘導体、エベロリムスまたはその類似体もしくは誘導体、タクロリムスまたはその類似体もしくは誘導体、バイオリムスまたはその類似体もしくは誘導体、トレスペリムスまたはその類似体もしくは誘導体、オーラノフィンまたはその類似体もしくは誘導体、２７−０−デメチルラパマイシンまたはその類似体もしくは誘導体、グスペリムスまたはその類似体もしくは誘導体、ピメクロリムスまたはその類似体もしくは誘導体、ABT-578またはその類似体もしくは誘導体��イノシン一リン酸デヒドロゲナーゼ（ＩＭＰＤＨ）阻害剤 an ミコフェノール酸またはその類似体もしくは誘導体であるＩＭＰＤＨ祖配剤、１−α−２５ジヒドロキシビタミンＤ３またはその類似体もしくは誘導体であるＩＭＰＤＨ阻害剤、ロイコトリエン阻害剤、単球化学誘因タンパク質−１（ＭＣＰ−１）拮抗薬、マトリックスメタロプロテイナーゼ（ＭＭＰ）阻害剤、ＮＦκＢ阻害剤、ＢＡＹ  １１−７０８２であるＮＦκＢ阻害剤、一酸化窒素（ＮＯ）拮抗薬、Ｐ３８マイトジェン活性化タンパク質（ＭＡＰ）キナーゼ阻害剤、SB202190であるＰ３８マイトジェン活性化タンパク質（ＭＡＰ）キナーゼ阻害剤、ホスホジエステラーゼ阻害剤、トランスホーミング増殖因子（ＴＧＦ）β阻害剤、トロンボキサンＡ２拮抗薬、腫瘍壊死因子α（ＴＮＦα）拮抗薬、ＴＮＦα変換酵素（ＴＡＣＥ）阻害剤、チロシンキナーゼ阻害剤、ビトロネクチン阻害剤、繊維芽細胞増殖因子阻害剤、タンパク質キナーゼ阻害剤、血小板由来増殖因子（ＰＤＧＦ）受容体キナーゼ阻害剤、内皮細胞増殖因子受容体キナーゼ阻害剤、レチノイン酸受容体拮抗薬、フィブリノゲン拮抗薬、抗真菌剤、スルコニゾールである抗真菌剤、ビスフォスフォネート、ホスホリパーゼＡ１阻害剤、ヒスタミンＨ１／Ｈ２／Ｈ３受容体拮抗薬、マクロライド系抗生物質、ＧＰＩＩＢ／ＩＩＩＡ受容体拮抗薬、エンドセリン受容体拮抗薬、ペルオキシソーム増殖剤応答性受容体の作動薬、エストロゲン受容体薬、ソマストスタチン類似体、ニューロキニン１拮抗薬、ニューロキニン３拮抗薬、ニューロキニン拮抗薬、a very late抗原−４ (VLA-4)拮抗薬、破骨細胞阻害剤、DNAトポイソメラーゼATP加水分解阻害剤、アンギオテンシンＩ変換酵素阻害剤、アンギオテンシンＩＩ拮抗薬、エンケファリナーゼ阻害剤、ペルオキシソーム増殖剤応答性受容体γ作動薬のインスリン増感剤、プロテインキナーゼＣ阻害剤、CXCR3阻害剤、Itk阻害剤、細胞質ホスホリパーゼA2-α阻害剤、ペルオキシソーム増殖剤応答性受容体(PPAR)作動薬、アポトーシス作動薬、免疫抑制剤、ＥＲＢ阻害剤、リポコルチン作動薬、脈管細胞接着分子−１（ＶＣＡＭ−１）拮抗薬、コラーゲン拮抗薬、α２インテグリン拮抗薬、ＴＮＦα阻害剤、一酸化窒素阻害剤、カテプシン阻害剤、およびエポシロンＢから選択される、請求項１５〜１７のいずれかの方法。
【請求項２３】
前記装置は第2の薬学的に活性な薬剤をさらに含む、請求項１５〜１７のいずれかの方法。
【請求項２４】
第2の薬学的に活性な薬剤は、抗血栓薬、抗血小板薬、抗増殖薬、抗炎症薬、抗ガン剤、抗生物質、抗微生物薬である、請求項２３の方法。
【請求項２５】
前記装置は、感染、炎症または血栓症を阻害する薬剤をさらに含む、請求項１５〜１７のいずれかの方法。
【請求項２６】
前記組成物がポリマーをさらに含む、請求項１５〜１７のいずれかの方法。。
【請求項２７】
前記組成物が生分解性ポリマーをさらに含む、請求項１５〜１７のいずれかの方法。。
【請求項２８】
前記組成物が非生分解性ポリマーをさらに含む、請求項１５〜１７のいずれかの方法。